(57)【要約】      （修正有）【課題】可動部を備えてないスチームトラップユニットにおいて、ドレン排出量の変動に対応可能な構成とする。【解決手段】スチームトラップユニットは、可動部を備えていない固定式スチームトラップ装置１０と、該スチームトラップ装置１０の入口部に接続された一次側管路及び出口部側に接続された二次側管路に対して並列に接続された追加ドレン排出手段２０としての温調弁２６と、を左右のフランジ構成３０、４０間に、一つのユニットとして構成した。【選択図】図３
0003220516.tif 000002
【実用新案登録請求の範囲】
【請求項１】
左右一対のフランジ（一次側フランジと二次側フランジ）間に、スチームトラップ装置と追加ドレン排水手段とを並列に接続して構成したスチームトラップユニットであり、
前記追加ドレン排水手段は、前記スチームトラップ装置の入口部に接続された一次側管路と、当該スチームトラップ装置の出口部に接続された二次側管路とを介して、前記スチームトラップ装置に並列に接続されており、
前記スチームトラップ装置と前記追加ドレン排水手段とが、前記左右一対のフランジ間に組み込まれた一つのユニットとして構成されていることを特徴とするスチームトラップユニット。
【請求項２】
前記スチームトラップ装置は、可動部を備えていない固定式スチームトラップ装置であり、所定のノズル径のベンチュリーノズルを備えたノズル式の固定式スチームトラップ装置、又は、オリフィス式の固定式スチームトラップ装置であることを特徴とする請求項１に記載のスチームトラップユニット。
【請求項３】
前記追加ドレン排水手段は、前記一次側管路と前記二次側管路により接続された温調弁で構成されていることを特徴とする請求項１又は２に記載のスチームトラップユニット。
【請求項４】
前記温調弁は、接続配管により前記固定式スチームトラップ装置の前記一次側管路及び前記二次側管路に対して、その管路中心よりも低い位置で接続されており、該接続配管は水平に対して所定傾斜角度αで傾斜して前記一次側管路及び前記二次側管路に接続されていることを特徴とする請求項１乃至３の内の一の請求項に記載のスチームトラップユニット。
【請求項５】
前記接続配管の所定傾斜角度αは、水平に対して１５°〜５０°の傾斜角度であることを特徴とする請求項４に記載のスチームトラップユニット。
【請求項６】
前記温調弁は、所定温度Ａで全開とされ、所定温度Ｂで全閉とされる弁構成であることを特徴とする請求項１乃至５の内の一の請求項に記載のスチームトラップユニット。
【請求項７】
前記所定温度Ａは、常温から９４℃の内の所定温度であり、前記所定温度Ｂは、９５℃〜１００℃の内の所定温度であることを特徴とする請求項６記載のスチームトラップユニット。
【請求項８】
前記温調弁を全開とする前記所定温度Ａと前記温調弁を全閉とする前記所定温度Ｂとの間の温度幅（Ｂ−Ａ）は、前記温調弁の全開動作温度Ａと全閉動作温度Ｂの温度差をＣとすると、温度差Ｃは、前記温調弁の弁開閉所要温度幅βであることを特徴とする請求項７記載のスチームトラップユニット。
【請求項９】
前記所定温度Ａは９３．３℃であり、前記所定温度Ｂは９８．８℃であり、前記弁開閉所要温度幅βは５．５℃であることを特徴とする請求項８記載のスチームトラップユニット。
【請求項１０】
可動部を備えていない固定式スチームトラップ装置と、追加ドレン排出手段と、一次側フランジ構成と、二次側フランジ構成と、を備えており、
前記一次側フランジ構成の前記一次側管路の下流端は、前記固定式スチームトラップ装置の入口部に接続され、かつ前記二次側フランジ構成の前記二次側管路の上流端は、前記固定式スチームトラップ装置の出口部に接続されており、
さらに、前記ドレン排出手段を前記固定式スチームトラップ装置に対して並列となるように、前記一次側管路及び前記二次側管路に接続することにより、前記スチームトラップ装置と前記ドレン排出手段を組み合わせて左右のフランジ（一次側フランジ及び二次側フランジ）間に一つのユニットとして構成したことを特徴とするスチームトラップユニット。
【考案の詳細な説明】
【技術分野】
【０００１】
本考案は、左右のフランジ間に、蒸気配管の中に溜まった凝縮水（ドレン）を適宜自動的に排出するための弁であるスチームトラップ装置と、追加ドレン排水手段としての温調弁とを結合して組み合せて一つのユニットを構成したスチームトラップユニットに関し、特に、可動部を備えていない固定式のスチームトラップ装置としてのノズル式のスチームトラップ装置、或いは、オリフィス式のスチームトラップ装置と、追加ドレン排水手段としての温調弁とを結合して組み込んで、一対の左右フランジの間に一つのユニットを構成したスチームトラップユニットに関する。
【０００２】
本明細書においては、「スチームトラップユニット」とは、左右のフランジの間に「固定式スチームトラップ装置」と、追加ドレン排水手段としての「温調弁」とを結合して組み合わせて一つの「ユニット（組合せ体）」として構成したものを意味している。また、左右、上下との用語は図１における方向での用語であり、自然界での位置関係を言うものではない。
【０００３】
また、本明細書においては、「ノズル式」とは、固定式スチームトラップ装置内に蒸気の流れを規制する細孔部（ノズル部）を備えたものであり、オリフィス式の固定式スチームトラップ装置をも含むものであり、換言すれば、可動部を備えていないスチームトラップ装置、つまり固定式スチームトラップ装置を意味するものである。
【背景技術】
【０００４】
ボイラで作られた蒸気は、種々の業種において使用するために、工場内に張り巡らせられた蒸気配管を通って、様々な製造設備に送られて、加熱源や動力源として用いられている。また、その他にも、暖房や加湿用途等にも使用されている。そして、蒸気配管システムには、パイプだけではなく、多くの弁・バルブ、機材・装置が取り付けられているが、そのようなシステムの配管内では、蒸気が凝縮して凝縮水（ドレン）が発生する。そのドレンは、適宜、蒸気配管外に排出するために、スチームトラップ装置を設ける必要がある。
【０００５】
このスチームトラップ装置の種類は、従来から幾つかの種類があって、主に、バケット式（特許文献１）、フロート式（特許文献２）、バイメタル式（特許文献３）、ディスク式（特許文献４）及びノズル式（特許文献５）のスチームトラップが知られている。夫々を特許文献として列記すれば、以下のとおりである。
【先行技術文献】
【特許文献】
【０００６】
【特許文献１】特開昭６０−４８４７５号公報
【特許文献２】特開２０１７−８９６７号公報
【特許文献３】特開２００５−２５７６２５号公報
【特許文献４】特開２０１６−１９７２７４号公報
【特許文献５】特許６３４０６４４号
【考案の概要】
【考案が解決しようとする課題】
【０００７】
本考案は、以上のような従来公知のスチームトラップ装置を用いながら、新規な構成のスチームトラップユニットを提供するものである。ボイラで作られた蒸気は、様々な製造設備に送られて、加熱源や動力源として用いられている。蒸気は仕事を終えると凝縮してドレンとなる。ここで、飽和蒸気の飽和圧力（ＭＰａＧ）と飽和温度（℃）の関係を図４に示す。例えば、大元のボイラから、０．８ＭＰａＧの飽和蒸気（飽和温度は１７５．４℃）を供給し、熱交換器で１５０℃の蒸気が必要な場合には、蒸気圧を減圧弁で０．４ＭＰａＧに下げて熱交換器に供給し、又、殺菌器で１３０℃の蒸気が必要な場合には、蒸気圧を減圧弁で０．２ＭＰａＧに下げて殺菌器に供給する。このように、蒸気は、これらの熱交換器や殺菌器で仕事を終えるとドレンが発生する。また、自然放熱によってもドレンが発生する。ドレンが蒸気配管内に溜まると温度が下がり、蒸気が顧客の要求温度に達しなくなり、システムとしてイレギュラを発生する。以上のことから、管路内に発生するドレンは適宜に排出する必要がある。そのために、スチームトラップ装置がシステム内の各装置の下流に設けられており、蒸気配管中にも数十メートルに１個程度のスチームトラップが設けられている。
【０００８】
上記のとおりに、蒸気は自然放熱もしくは仕事を終えると凝縮してドレンとなることから、ドレンは適宜排出しなければならない。ドレンの排出が追い付かなくなると、配管内にドレンが溜まってしまい、客先のシステムでの蒸気の要求温度が保てず、蒸気温度が下がってしまい、生産に不良が発生することにもなる。また、配管内にドレンが溜まってしまうと、ウォータハンマが発生し、バルブや配管や装置が破損することもある。
【０００９】
これら上述した従来のスチームトラップ装置は、大きく分けると、何らかの可動部を備えたバケット式、フロート式、バイメタル式の可動式スチームトラップ装置等と、可動部を備えないノズル式、又はオリフィス式の固定式スチームトラップ装置等に分類することができる。何らかの可動部を備えた可動式スチームトラップ装置の場合は、可動部での故障の発生が多い。可動部に故障が発生した場合には、弁の開閉に不具合が生じ、もし、弁が閉まりっ放しになれば、スチームトラップの一次側にドレンが溜まってしまい、生産の不良を引き起こす可能性がある。また、ウォータハンマが発生したり、蒸気の乾き度が低下し、配管の腐食の心配もある。逆に、弁が開き放しになれば、蒸気の放出が継続して蒸気の大量放出が発生して、蒸気ロスを生じる。実際には、このような弁の開き放しの障害が多く発生している。
【００１０】
それに対して、可動部のない固定式スチームトラップ装置の場合は、当然に、可動部の故障はないが故に、可動部を原因とした故障の心配はないが、蒸気環境の変動に伴うドレン排出の調節ができない。その欠点を補うために、例えば、ノズル式のスチームトラップ装置においては、種々のドレン量に対応するために、ドレンの排出量に応じて多くのノズル径のノズルを用意しており、所望のドレン排出量を設定すればノズル径が定まるようにしている。
【００１１】
このように、いずれのスチームトラップ装置においても、システムが要求する蒸気圧力と温度を達成するためには、適切にドレンを排出する必要がある。特に、本考案に使用するノズル式のような固定式のスチームトラップ装置では、排出するドレン量は、内部に設けたベンチュリーノズルの径によって定められる。そこで、常に、システムが定常に動作するように所望の蒸気温度を得るように、適正なドレン排出量となるようにノズル径が選定されるべきである。従って、ドレン量の変動に対応するにはあまり適切な装置ではないとも言える。
【００１２】
つまり、このようなノズル式の固定式スチームトラップ装置は、一定の動作条件で２４時間連続稼働をするようなシステムには最適であるが、負荷が変動し必要な蒸気量が変動する場合には、ドレン排出量の調節が可能な可動式のスチームトラップ装置が好ましいと考えられていた。例えば、システムによっては、装置を毎晩止めて朝に立ち上げるように運用している場合もある。このような場合には、朝の立ち上げ時には、システムが安定した動作となるまでの間は、通常のドレン量を上回るドレンが溜まっており、これを短時間の内に排出する必要がある。例えば、安定した動作が継続する場合には、ドレンの排出量が３０ｋｇ／時間の場合でも、朝の立ち上げ時にはドレンが溜まっており、一時的にドレンの排出量が６０ｋｇ／時間程度となる場合もある。
【００１３】
このような要求に応えるには、排出するドレン量が調節できる可動部を備えたスチームトラップ装置を用いるのが通常であるが、可動部を備えるが故に、故障の原因となるものであった。その際の故障は、可動部が動かなくなったり、弁部が摩耗したりして開口部が開き放しになる故障が多く、蒸気が漏れてしまう。ドレンが排出できずに溜まってしまう場合には、ウォータハンマの原因となり、システム内の装置等を破壊する心配すらある。
【００１４】
本考案は、以上の課題の下で、一時的に多くのドレン排出を可能とするスチームトラップユニットに関するものである。特に、ドレン排出量の調節が不可能な固定式のスチームトラップ装置であっては、適用が有用なスチームトラップユニットを提供できるものである。
【００１５】
そこで、このような要求に応えるスチームトラップ装置を提供するために、具体的には、ノズル式の固定式スチームトラップ装置と温調弁とを結合して組み込んで、一つのユニットとして構成したスチームトラップユニットを考案したものである。勿論、本考案は、固定式スチームトラップ装置以外の可動式スチームトラップ装置に対しても適用できるものではあるが、その効果は固定式スチームトラップ装置において顕著であるので、ノズル式の固定式スチームトラップ装置に限定して説明している。
【課題を解決するための手段】
【００１６】
本考案のスチームトラップユニットは、
左右一対のフランジ（一次側フランジと二次側フランジ）間に、可動部を備えていない固定式スチームトラップ装置と追加ドレン排水手段とを並列に接続して構成したスチームトラップユニットであり、
前記追加ドレン排水手段は、前記スチームトラップ装置の入口部に接続された一次側管路と、当該スチームトラップ装置の出口部に接続された二次側管路とを介して、前記スチームトラップ装置に並列に接続されており、
前記スチームトラップ装置と前記追加ドレン排水手段とが、前記左右一対のフランジ間に組み込まれた一つのユニットとして構成されていることを特徴とする。
【００１７】
さらに、本考案のスチームトラップユニットは、
前記スチームトラップ装置は、可動部を備えていない固定式スチームトラップ装置であり、所定のノズル径のベンチュリーノズルを備えたノズル式の固定式スチームトラップ装置、又は、オリフィス式の固定式スチームトラップ装置であることを特徴とする。
【００１８】
さらに、本考案のスチームトラップユニットは、
前記追加ドレン排水手段は、前記一次側管路と前記二次側管路により接続された温調弁で構成されていることを特徴とする。
【００１９】
さらに、本考案のスチームトラップユニットは、
前記温調弁は、接続配管により前記固定式スチームトラップ装置の前記一次側管路及び前記二次側管路に対して、その管路中心よりも低い位置で接続されており、該接続配管は水平に対して所定傾斜角度αで傾斜して前記一次側管路及び前記二次側管路に接続されていることを特徴とする。
【００２０】
さらに、本考案のスチームトラップユニットは、
前記接続配管の所定傾斜角度αは、水平に対して１５°〜５０°の傾斜角度であることを特徴とする。
【００２１】
さらに、本考案のスチームトラップユニットは、
前記温調弁は、所定温度Ａで全開とされ、所定温度Ｂで全閉とされる弁構成であることを特徴とする。
【００２２】
さらに、本考案のスチームトラップユニットは、
前記所定温度Ａは、常温から９４℃の内の所定温度であり、前記所定温度Ｂは、９５℃〜１００℃の内の所定温度であることを特徴とする。
【００２３】
さらに、本考案のスチームトラップユニットは、
前記温調弁を全開とする前記所定温度Ａと前記温調弁を全閉とする前記所定温度Ｂとの間の温度幅（Ｂ−Ａ）は、前記温調弁の全開動作温度Ａと全閉動作温度Ｂの温度差をＣとすると、温度差Ｃは、前記温調弁の弁開閉所要温度幅βであることを特徴とする。
【００２４】
さらに、本考案のスチームトラップユニットは、
前記所定温度Ａは９３．３℃であり、前記所定温度Ｂは９８．８℃であり、前記弁開閉所要温度幅βは５．５℃であることを特徴とする。
【００２５】
本考案のスチームトラップユニットは、
可動部を備えていない固定式スチームトラップ装置と、追加ドレン排出手段と、一次側フランジ構成と、二次側フランジ構成と、を備えており、
前記一次側フランジ構成の前記一次側管路の下流端は、前記固定式スチームトラップ装置の入口部に接続され、かつ前記二次側フランジ構成の前記二次側管路の上流端は、前記固定式スチームトラップ装置の出口部に接続されており、
さらに、前記追加ドレン排出手段を前記固定式スチームトラップ装置に対して並列となるように、前記一次側管路及び前記二次側管路に接続することにより、前記スチームトラップ装置と前記ドレン排出手段を組み合わせて左右のフランジ（一次側フランジ及び二次側フランジ）間に一つのユニットとして構成したことを特徴とする。
【考案の効果】
【００２６】
本考案は、可動部のない固定式スチームトラップ装置を用いて、蒸気環境の変動に応じて変化する凝縮ドレンを配管システム外に排出することを可能にするものである。特に、本考案は、ノズル式又はオリフィス式と称される固定式スチームトラップ装置を用いて、蒸気環境の変動に応じて変化する凝縮するドレンを配管システム外に排出することを可能にするものである。また、本考案の新規な構成のスチームトラップユニットを適用することにより、ユニットを交換するだけで、既存のスチームトラップ装置を、左右のフランジ間をユニットとして入れ替えることにより、本考案を採用したスチームトラップユニットに交換することを容易に可能とするものである。
【００２７】
スチームトラップ装置、特に可動部のないスチームトラップ装置と温調弁とを結合して組み込んで、一つのユニットとして構成したスチームトラップユニットにより、可動部のないスチームトラップ装置でありながら、変動するドレン量の排出を簡単な構成で達成することができる。
【００２８】
本考案は、排出するドレン量の変動に対しても、電力や他の動力を使わずに、蒸気の温度によって自動的に制御できるので、簡単なスチームトラップ装置を提供できるものである。また、溜まったドレンの排出に、特別な配管系統の電磁弁を用いたり、タイマに依ったりすることがなく、一つの纏まったユニットとして構築することができるので、既存のスチームトラップ装置との交換も極めて簡単である。つまり、既存のシステムでスチームトラップ装置を交換する際には、本考案のスチームトラップユニットが、左右のフランジ間に構成された一つの纏まったユニット構成であるために、従来のスチームトラップ装置を、本考案のスチームトラップユニットに取り替えるという簡単な工事で可能なものである。また、他の電力或いは動力を必要としないため、非常時の安全弁としての役割を果たすこともできる。
【図面の簡単な説明】
【００２９】
【図１】本考案のスチームトラップユニットをノズル式のスチームトラップ装置に適用した際の内部構成を示した横断面図であり、（A）はスチームトラップ装置内の断面構成図を示し、（B）は温調弁の外観を示す図面である。
【図２】本考案のスチームトラップユニットをノズル式のスチームトラップ装置に適用した際の配置を示した横断面図である。
【図３】本考案のスチームトラップユニットの全体的な構成を説明する図面である。
【図４】飽和蒸気の飽和圧力と飽和温度の関係
【考案を実施するための形態】
【００３０】
本考案のスチームトラップユニットは、特に、可動部を備えていない固定式スチームトラップ装置に用いるに効果を奏し、ノズル式、又は、オリフィス式等の固定式スチームトラップ装置を使用したスチームトラップユニットに関するものである。本考案は、適用されるスチームトラップ装置の構成は特に限定するものではないが、可動部を備えていない固定式スチームトラップ装置に適用すると特に効果を発揮する。
【００３１】
本考案のスチームトラップユニット１００は、スチームトラップ装置１０（可動部を備えていない固定式スチームトラップ装置）と、そのスチームトラップ装置１０に並列に配置された追加ドレン排水手段としての温調弁２６と、一次側フランジ構成３０と、二次側フランジ構成４０とから構成されている。本考案が適用されるスチームトラップ装置１０は、可動部を備えていない固定式スチームトラップ装置が適している。そこで、本考案では、ノズル式の固定式スチームトラップ装置を用いた実施例で説明しているが、本考案の技術的範囲がそれに限られると言うものではない。
【００３２】
以下、図面を参酌して本考案を説明する。本考案のスチームトラップユニット１００の適用実施例として用いたスチームトラップ装置１０は、ノズル式の固定式スチームトラップ装置であり、ダイカスト等により一体成形されたハウジング１９を主要部品として構成されており、蒸気の入口部１１と蒸気及びドレンの出口部１２を備えている。スチームトラップ装置１０の入口部１１には、一次側フランジ構成３０が左側の管路である一次側管路３１を介して嵌合されており、スチームトラップ装置１０の出口部１２には、二次側フランジ構成４０が右側の管路である二次側管路４１を介して嵌合されている。一次側管路３１は、スチームトラップ装置１０の反対側（上流端）に一次側フランジ３２を接合しており、二次側管路４１は、スチームトラップ装置１０の反対側（下流端）に二次側フランジ４２を接合している。一次側フランジ３２と二次側フランジ４２とは、対向して一つのユニットの左右の外端面を構成している。それにより、スチームトラップ装置１０と追加ドレン排水手段としての温調弁２６とを並列に配置し、一次側フランジ構成３０と二次側フランジ構成４０により、対向した一次側フランジ３２と二次側フランジ４２が左右端面として、一つのユニットを形成している。対向した一次側フランジ３２と二次側フランジ４２との距離Ｌは、一般的に使用されている寸法に合わせるのが好ましい。例えば、２０Ａの場合（ＪＩＳ規格により鋼管内外径が既定されており、外径は２７．２ｍｍ）のフランジ付きスチームトラップ装置のフランジ間の距離Ｌは、一般的寸法は１９５ｍｍであるので、それに合わせるのが好ましい。因みに、１５Ａの場合のＬは１７５ｍｍ、２５Ａの場合のＬは２１５ｍｍが一般的であり、それらに合わせることにより、装置の交換作業が簡単であり好ましい。
【００３３】
スチームトラップ装置１０の入口部１１の中心軸と出口部１２の中心軸とは、図１で示すように、横型に配置され、同一平面となるように配置されている。もちろん、具体的説明はしないが、本考案はスチームトラップ装置が竪型配置のものでも適用可能である。スチームトラップ装置１０は、図示はないが、蒸気配管システム内で使用される蒸気使用装置（例えば、熱交換器）の下流側に接続されており、使用後の蒸気は、凝縮してドレン化し、一次側フランジ構成３０から、スチームトラップ装置１０の入口部１１に流入する。スチームトラップ装置１０の出口部１２からの排出ドレンは、二次側フランジ構成４０を介して、例えば、蒸気発生装置（図示なし）に戻されて再び蒸気となる。
【００３４】
スチームトラップ装置１０の構成部品は、入口部１１側から出口部１２側に向けて、入口部１１、一次ストレーナ１３を備えた一次ストレーナ室１４、ドレン導入孔１５、二次ストレーナ１６とベンチュリーノズル１７とを備えたノズル室１８、出口部１２を備えている。
【００３５】
一次ストレーナ室１４に設けた一次ストレーナ１３は、入口部１１から斜め下方（図１）に配置され、ドレンを一次ストレーナ室１４に溜めるように構成されている。一次ストレーナ１３は、所定メッシュの円筒状のフィルタである。一次ストレーナ室１４の下方の開放端は、ボトムキャップ２１で閉じられている。
【００３６】
入口部１１から流入したドレンは、一次ストレーナ１３により、ドレンに混入しているごみなどの異物が捕集される。一次ストレーナ室１４の上方には、直立したドレン導入孔１５が設けられており、その出口部側には、ノズル室１８が形成されている。このノズル室１８には、二次ストレーナ１６が設けられており、ノズル室１８内で、より細かい異物の除去・捕集を行う。ノズル室１８には、二次ストレーナ１６の内側にベンチュリーノズル１７を備えており、ドレン流量を絞っている。ノズル室１８の頂部は、トップキャップ２２により閉じられている。
【００３７】
本考案のスチームトラップユニット１００は、スチームトラップ装置１０と温調弁２６とを並列状に組み込んで配置し、左右（図１）の両端面が、一次側フランジ構成３０と二次側フランジ構成４０により組み込まれて構成することによりユニット構成としたものである。つまり、一次側フランジ３２及び二次側フランジ４２により、一つのユニット構成を呈している。これにより、図示はしていないが、既存の工場等に設けられているスチームトラップ装置に対しても、蒸気配管中にユニット構成とされた本考案のスチームトラップユニット１００により容易に入れ替える工事ができるものである。
【００３８】
以上で説明した本考案の実施例としてのノズル式のスチームトラップ装置は、例えば、熱交換器のドレン排出口に接続されている。本考案の実施例として適用しているノズル式のスチームトラップ装置１０は、入口部１１からドレンが一次ストレーナ室１４内に流入すると、一次ストレーナ１３により異物の捕集をし、ドレン導入孔１５を上昇して、ノズル室１８内に導入する。ノズル室１８内に導入されたドレンは、二次ストレーナ１６により異物が捕集され、ベンチュリーノズル１７によって流れが絞られ、出口部１２に排出される。ドレンは、入口部１１、一次ストレーナ室１４、ドレン導入孔１５、ノズル室１８、ベンチュリーノズル１７の順でドレンが満たされ、その順にドレンが流れる。ベンチュリーノズル１７を備えていることにより、殆どの蒸気はドレンから分離されて、ドレンのみが出口部１２から排出される。
【００３９】
図３に本考案の技術的思想の概略構成を示すように、本考案は、可動部を備えていない固定式スチームトラップ装置１０が適用された例が示されている。本考案のスチームトラップユニット１００は、スチームトラップ装置１０と追加ドレン排水手段２０（温調弁２６）が、該スチームトラップ装置１０の入口部１１側に接続された一次側管路３１と、出口部１２側に接続された二次側管路４１を介して、該スチームトラップ装置１０に対して追加ドレン排水手段２０（温調弁２６）が並列になるように組み込まれている。つまり、スチームトラップ装置１０と追加ドレン排水手段２０（温調弁２６）とが左右のフランジ機構である一次側フランジ構成３０及び二次側フランジ構成４０（一次側フランジ３２と二次側フランジ４２）の間に組み込まれて一つのユニットとして構成している。
【００４０】
ここで、追加ドレン排出手段２０としての温調弁２６は、スチームトラップ装置１０の一次側管路３１及び二次側管路４１に対して、接続配管２７，２８によって、スチームトラップ装置１０に対して並列状に配置されている。接続配管２７，２８は、一次側管路３１及び二次側管路４１に対して、その管路中心よりも低い位置で接続されている。この場合、接続配管２７，２８は斜め下方に所定角度αだけ傾斜して接続されている。その角度αは、５０°から１５°が好ましく、さらに好ましくは４５°の傾斜である。接続配管２７，２８は、一次側管路３１及び二次側管路４１の各連通孔３５，４５に接続されている。
【００４１】
スチームトラップ装置１０に対して温調弁２６を並列状態で、ドレン排水のバイパス回路となるように組み込む。温調弁２６は、所定温度Ａまでは全開で、所定温度Ｂで全閉となるように制御されている開閉弁である。より具体的には、温調弁２６は、常温から９４℃（所定温度Ａ）までは全開で、９５〜１００℃（所定温度Ｂ）までは全閉で制御されている。そしての間での温調弁２６の状態は半開状態である。この温調弁２６の最適の開閉温度は、９３．３℃（好ましい所定温度Ａ）までは全開で、９８．８℃（好ましい所定温度Ｂ）で全閉となるように制御されている。９３．３℃〜９８．８℃の間は半開状態であり、温調弁開閉の温度範囲（弁開閉所要温度幅β）は５．５℃である。つまり、９３．３℃〜９８．８℃の弁開閉所要温度幅β（５．５℃）の間は、温調弁２６の開度に応じたドレンの排出が為される。
【符号の説明】
【００４２】
１００：スチームトラップユニット
１０：スチームトラップ装置
１１：入口部
１２：出口部
１３：一次ストレーナ
１４：一次ストレーナ室
１５：ドレン導入孔
１６：二次ストレーナ
１７：ベンチュリーノズル
１８：ノズル室
１９：ハウジング
２０：追加ドレン排出手段
２２：トップキャップ
２６：温調弁
２７，２８：接続配管
３０：一次側フランジ構成
３１：一次側管路
３２：一次側フランジ（左フランジ）
３５：連通孔
４０：二次側フランジ構成
４１：二次側管路
４２：二次側フランジ（右フランジ）
４５：連通孔
【図１】
0003220516.tif 000003
【図２】
0003220516.tif 000004
【図３】
0003220516.tif 000005
【図４】
0003220516.tif 000006
【手続補正書】
【提出日】平成31年1月18日(2019.1.18)
【手続補正１】
【補正対象書類名】実用新案登録請求の範囲
【補正対象項目名】全文
【補正方法】変更
【補正の内容】
【実用新案登録請求の範囲】
【請求項１】
左右一対のフランジ（一次側フランジと二次側フランジ）間に、スチームトラップ装置と追加ドレン排水手段とを並列に接続して構成したスチームトラップユニットであり、
前記追加ドレン排水手段は、前記スチームトラップ装置の入口部に接続された一次側管路と、当該スチームトラップ装置の出口部に接続された二次側管路とを介して、前記スチームトラップ装置に並列に接続されており、
前記スチームトラップ装置と前記追加ドレン排水手段とが、前記左右一対のフランジ間に組み込まれた一つのユニットとして構成されていることを特徴とするスチームトラップユニット。
【請求項２】
前記スチームトラップ装置は、可動部を備えていない固定式スチームトラップ装置であり、所定のノズル径のベンチュリーノズルを備えたノズル式の固定式スチームトラップ装置、又は、オリフィス式の固定式スチームトラップ装置であることを特徴とする請求項１に記載のスチームトラップユニット。
【請求項３】
前記追加ドレン排水手段は、前記一次側管路と前記二次側管路により接続された温調弁で構成されていることを特徴とする請求項２に記載のスチームトラップユニット。
【請求項４】
前記温調弁は、接続配管により前記固定式スチームトラップ装置の前記一次側管路及び前記二次側管路に対して、その管路中心よりも低い位置で接続されており、該接続配管は水平に対して所定傾斜角度αで傾斜して前記一次側管路及び前記二次側管路に接続されていることを特徴とする請求項３に記載のスチームトラップユニット。
【請求項５】
前記接続配管の所定傾斜角度αは、水平に対して１５°〜５０°の傾斜角度であることを特徴とする請求項４に記載のスチームトラップユニット。
【請求項６】
前記温調弁は、所定温度Ａで全開とされ、所定温度Ｂで全閉とされる弁構成であることを特徴とする請求項３乃至５の内の一の請求項に記載のスチームトラップユニット。
【請求項７】
前記所定温度Ａは、常温から９４℃の内の所定温度であり、前記所定温度Ｂは、９５℃〜１００℃の内の所定温度であることを特徴とする請求項６記載のスチームトラップユニット。
【請求項８】
前記温調弁を全開とする前記所定温度Ａと前記温調弁を全閉とする前記所定温度Ｂとの間の温度幅（Ｂ−Ａ）は、前記温調弁の全開動作温度Ａと全閉動作温度Ｂの温度差をＣとすると、温度差Ｃは、前記温調弁の弁開閉所要温度幅βであることを特徴とする請求項７記載のスチームトラップユニット。
【請求項９】
前記所定温度Ａは９３．３℃であり、前記所定温度Ｂは９８．８℃であり、前記弁開閉所要温度幅βは５．５℃であることを特徴とする請求項８記載のスチームトラップユニット。
【請求項１０】
可動部を備えていない固定式スチームトラップ装置と、追加ドレン排出手段と、一次側フランジ構成と、二次側フランジ構成と、を備えており、
前記一次側フランジ構成の一次側管路の下流端は、前記固定式スチームトラップ装置の入口部に接続され、かつ前記二次側フランジ構成の二次側管路の上流端は、前記固定式スチームトラップ装置の出口部に接続されており、
さらに、前記追加ドレン排出手段を前記固定式スチームトラップ装置に対して並列となるように、前記一次側管路及び前記二次側管路に接続することにより、前記固定式スチームトラップ装置と前記追加ドレン排出手段を組み合わせて左右のフランジ（一次側フランジ及び二次側フランジ）間に一つのユニットとして構成したことを特徴とするスチームトラップユニット。